(57)【要約】【課題】放送用等のレンズ装置において一軸二操作棒の押し引き操作に基づいてズームを電動で制御する場合に、操作棒の全操作範囲に対して変更可能なズーム範囲を全ズーム範囲の一部の範囲に制限できるようにすることによって一軸二操作棒の操作性の向上を図るレンズ制御システムを提供する。【解決手段】制御回路７４は、一軸二操作棒１６の押し引き操作の操作位置をポテンショメータ９２から取得し、その位置に対応する位置にズームレンズ５２をモータ６２により駆動する。ズームリミット機能が有効の場合には、操作棒１６の全操作範囲に対してリミット位置によって制限されたズーム範囲内でズームレンズ５２を移動させる。【選択図】      図４
2005106850.tif 000002
【特許請求の範囲】
【請求項１】
撮影光学系のズームレンズ又はフォーカスレンズを一軸二操作棒の押し引き操作又は回動操作に基づいて電動で制御するレンズ制御システムにおいて、
前記操作棒の押し引き操作又は回動操作の全操作範囲に対する前記ズームレンズ又はフォーカスレンズの移動範囲を、全移動範囲のうちの一部の範囲に制限する制限手段を備えたことを特徴とするレンズ制御システム。
【請求項２】
前記ズームレンズ又はフォーカスレンズの移動範囲を制限する制限位置を所望の位置に設定する設定手段を備えたことを特徴とする請求項１のレンズ制御システム。
【請求項３】
前記ズームレンズ又はフォーカスレンズの移動範囲の制限を解除するための指示手段を備え、該指示手段によって制限の解除が指示された後、前記一軸二操作棒が端位置まで操作されると、該端に対応する制限位置と反対側の制限位置による移動範囲の制限を解除することを特徴とする請求項１又は２のレンズ制御システム。
【発明の詳細な説明】
【技術分野】
【０００１】
本発明はレンズ制御システムに係り、特に一軸二操作棒の操作に基づいて撮影レンズのフォーカスやズームを制御するレンズ制御システムに関する。
【背景技術】
【０００２】
従来、放送用テレビカメラに使用される箱型のレンズ装置（ＥＦＰレンズ）において、フォーカス操作やズーム操作等のレンズ操作方式として一軸二操作式と呼ばれる操作方式が知られている。一軸二操作式では一般にレンズ装置から延設された一軸二操作棒を押し引き操作することでズーム操作を行い、一軸二操作棒を回転操作することでフォーカス操作を行うことができるようになっている。このような一軸二操作式の操作は、迅速なズーム操作が可能であるためスポーツ中継等のように瞬時の画角変更が要求される撮影において多く使用されている。
【０００３】
また、一軸二操作式は、通常、操作棒に加えられた操作力をフォーカスレンズやズームレンズの駆動力としてメカ的に伝達する機構となっており、それらのレンズを電動で駆動する場合には、フォーカスデマンドやズームデマンドなどの電動用のコントローラが用いられている。これに対して、一軸二操作棒の操作を電気的に検出し、その検出信号に基づいてフォーカスレンズやズームレンズを電動で駆動できるようにした操作ユニットが提案されている（例えば、特許文献１参照）。これによれば、一軸二操作式の操作に慣れているカメラマンでも容易に電動駆動のレンズ操作を行うことができ、また、電動駆動の機構を設ければ、一軸二操作式と一般的な電動用コントローラでのレンズ操作を容易に選択可能にすることができるため、レンズの駆動機構が簡素化されるという利点がある。
【特許文献１】特開２０００−２２７５３９号公報
【発明の開示】
【発明が解決しようとする課題】
【０００４】
ところで、一軸二操作式では、一軸二操作棒の押し引き操作でズーム操作を行うことができ、通常は、操作棒をメカ的な規制端（メカ端）まで押し込むとズームがテレ端まで移動し、逆のメカ端まで引き出すとズームがワイド端まで移動するようになっている。
【０００５】
一方、近年ではズーム倍率も高倍率化しており、撮影状況によってはテレ側のメカ端まで操作棒を押し込む必要がほとんどないという場合が生じている。野球中継で打球を追う場合等では瞬時にズームアップするため、カメラマンはテレ側のメカ端で規制される位置まで操作棒を瞬時に押し込むようにしているが、メカ端でのズーム倍率が意図する以上に大きい場合にはそのような操作を行うことができない。そのため、メカ端に当たる前に操作棒を停止させる必要があり、モニタ等で実際の映像を見ながら操作を行うか、または、意図したズーム倍率となる操作棒の位置を事前に確認して感覚的に覚えておく等の対応が必要となり、操作が難しくなるという問題があった。
【０００６】
また、撮影で必要なズーム範囲（ズーム倍率の範囲）は撮影状況によって異なり、上述のようにテレ側に使用しないズーム範囲が生じる場合だけでなく、ワイド側に使用しないズーム範囲が生じる場合もある。このようにワイド端からテレ端までの全ズーム範囲に対して一部のズーム範囲でズームを使用する場合、操作棒の押し引き操作もその全操作範囲のうちの一部の操作範囲で操作することになる。従って、そのような撮影状況では、操作棒の押し引き操作の全操作範囲に対して使用しない操作範囲が生じる。仮に撮影に使用するズーム範囲と操作棒の押し引き操作の全操作範囲とが完全に対応している場合と比較すると、一部の操作範囲しか使用しない場合には単位操作量当たりのズーム変化量が大きくなるため（操作感度が高い）、微調整が行い難く、また、所定範囲以外のズーム範囲での使用を完全に禁止したいという場合に、使用を禁止したいズーム範囲に対応する操作棒の操作範囲がメカ端によって制限されないため誤って禁止したいズーム範囲を使用する恐れもある。
【０００７】
フォーカス操作に関してもズーム操作の場合と同様に撮影状況によって撮影に使用するフォーカス範囲が一部の範囲に限られる場合があり、そのとき、操作棒の回転操作の範囲に不要な部分が生じるという問題がある。
【０００８】
本発明はこのような事情に鑑みてなされたもので、一軸二操作式によるレンズ操作の操作性の向上を図るレンズ制御システムを提供することを目的とする。
【課題を解決するための手段】
【０００９】
前記目的を達成するために、請求項１に記載の発明は、撮影光学系のズームレンズ又はフォーカスレンズを一軸二操作棒の押し引き操作又は回動操作に基づいて電動で制御するレンズ制御システムにおいて、前記操作棒の押し引き操作又は回動操作の全操作範囲に対する前記ズームレンズ又はフォーカスレンズの移動範囲を、全移動範囲のうちの一部の範囲に制限する制限手段を備えたことを特徴としている。これによれば、撮影に必要なズーム範囲やフォーカス範囲のみを一軸二操作棒の全操作範囲の操作で使用することができるようになるため、一軸二操作棒の操作範囲を有効に使用することができると共に、使用を禁止したいズーム範囲やフォーカス範囲の使用を確実に防止できるようになる。
【００１０】
また、請求項２に記載の発明は、請求項１に記載の発明において、前記ズームレンズ又はフォーカスレンズの移動範囲を制限する制限位置を所望の位置に設定する設定手段を備えたことを特徴としている。
【００１１】
また、請求項３に記載の発明は、請求項１又は請求項２に記載の発明において、前記ズームレンズ又はフォーカスレンズの移動範囲の制限を解除するための指示手段を備え、該指示手段によって制限の解除が指示された後、前記一軸二操作棒が端位置まで操作されると、該端に対応する制限位置と反対側の制限位置による移動範囲の制限を解除することを特徴としている。これによれば、移動範囲の制限を解除した際に一軸二操作棒の操作位置をズームレンズ又はフォーカスレンズの位置との対応が変わり、一軸二操作棒を操作しないにもかかわらずレンズが移動するという現象を防止することができる。
【発明の効果】
【００１２】
本発明によれば、一軸二操作棒の操作範囲を有効に使用することができる等、操作性の向上を図ることができる。
【発明を実施するための最良の形態】
【００１３】
以下添付図面に従って、本発明に係るレンズ制御システムの好ましい実施の形態について詳説する。
【００１４】
本実施の形態で説明するテレビカメラシステムは、撮影状況やカメラマンの好みで一軸二操作式の操作方式と、一軸二操作式ではない一般的な電動駆動用のコントローラ（ズームデマンド及びフォーカスデマンド）の操作方式のいずれかを選択し、その選択した操作方式によりズーム操作及びフォーカス操作を行えるようにしたもので、図１は一軸二操作式の操作方式を使用する場合、図２はコントローラの操作方式を使用する場合についてテレビカメラシステム全体の構成を示した斜視図である。これらの図に示すようにテレビカメラ１０はレンズ装置１２とカメラ本体１４とから構成され、レンズ装置１２は、雲台２２に載置されたカメラ本体１４の正面側に装着される。図１に示すように一軸二操作式で操作を行う場合、レンズ装置１２の背面側（カメラ本体１４に装着される面）には一軸二操作棒１６（以下、操作棒１６という）が設置され、その操作棒１６は、カメラ本体１４に形成された操作棒挿通孔１４Ａ（図２参照）を貫通してカメラ本体１４の背面側に突出される。カメラマンは、カメラ本体１４のビューファインダ２０に映る映像を見ながら、この操作棒１６の指掛部１８を把持して操作棒１６を押し引き操作することでズーム操作を行うことができ、また、指掛部１８を回動操作し、操作棒１６の軸を回動させることでフォーカス操作を行うことができる。
【００１５】
図２に示すようにコントローラで操作を行う場合、雲台２２から延設されたパンチルト棒２４Ａ、２４Ｂの先端にそれぞれズームデマンド２６とフォーカスデマンド２８が設置される。ズームデマンド２６及びフォーカスデマンド２８からは、それぞれズーム速度を指令するズーム速度指令信号とフォーカス位置を指令するフォーカス位置指令信号が出力され、これらの指令信号はケーブルを介してレンズ装置１２に送信される。カメラマンは、ズームデマンド２６のサムリング２６Ａを親指で回動操作することによりズーム操作を行うことができ、フォーカスデマンド２８のフォーカスノブ２８Ａを回動操作することでフォーカス操作を行うことができる。
【００１６】
図３は、図１のように操作棒１６により一軸二操作式の操作方式でレンズ操作を行う場合において、操作棒１６の押し引き操作及び回動操作を電気的に検出する一軸二操作式ユニットをレンズ装置１２内に配置した状態を示した平面断面図である。同図に示すようにレンズ装置１２を覆うカバー３０、３２内にレンズ鏡胴３４が設置され、そのレンズ鏡胴３４の側面に一軸二操作式ユニット３６がネジ３７、３７により設置される。この一軸二操作式ユニット３６の内部には、操作棒１６の押し引き操作及び回動操作の操作位置を電気的に検出するポテンショメータが設置され、そのポテンショメータから出力された電気信号は一軸二操作式ユニット３６側のコネクタ３８からレンズ鏡胴３４側のコネクタ４０に入力される。後述するようにレンズ鏡胴３４内のズームレンズ及びフォーカスレンズはこの一軸二操作式ユニット３６から入力された電気信号によりモータ駆動されるため、操作棒１６の押し引き操作及び回動操作に基づいてズーム及びフォーカスの制御が電動により行われるようになっている。
【００１７】
また、一軸二操作式ユニット３６はレンズ装置１２の組み立て時においてレンズ鏡胴３４に固定されるが、操作棒１６は一軸二操作式ユニット３６に対して着脱自在になっている。従って、図２のようにコントローラでレンズ操作を行う場合には、操作棒１６だけをレンズ装置１２から取り外すことができるようになっている。また、一軸二操作式ユニット３６に操作棒１６を装着した場合、図１のように操作棒１６は、カメラ本体１４に形成された操作棒挿通孔１４Ａを貫通する位置に配置される。この位置は、従来から手動操作用の一軸二操作式の操作棒が装着される位置と同じであるため、操作棒１６の使い勝手は手動操作用のものと相違しない。
【００１８】
図４は、主に上記レンズ装置１２により構築されるレンズ制御システムの構成を示した図である。同図に示すように上記一軸二操作式ユニット３６や、上記コントローラ７０（ズームデマンド２６及びフォーカスデマンド２８）は、レンズ装置１２内において切替回路７２を介して制御回路７４に接続される。切替回路７２は、一軸二操作式ユニット３６とコントローラ７０のうちいずれか一方を制御回路７４に接続するもので、この切替回路７２の接続の切り替えは、選択する操作方式に応じてカメラマンがスイッチ等によって行うことができるようになっている。
【００１９】
切替回路７２によってコントローラ７０が制御回路７４に接続された場合には、ズームデマンド２６からのズーム速度指令信号とフォーカスデマンド２８からのフォーカス位置指令信号が制御回路７４に入力される。一方、一軸二操作式が制御回路７４に接続された場合には、一軸二操作式ユニット３６から制御回路７４に操作棒１６の押し引き操作に基づくズーム位置指令信号と、操作棒１６の回転操作に基づくフォーカス位置指令信号が入力される。
【００２０】
レンズ鏡胴３４の撮影光学系には、前方から順にフォーカスレンズ５０、バリエータレンズ５２Ａ、コンペンセータレンズ５２Ｂ等が配置されており、フォーカスレンズ５０は、その支持枠５４がリードネジ５６に連結され、フォーカスモータ５８によってリードネジ５６が回動すると、光軸Ｐに沿って前後動するようになっている。このようにフォーカスレンズ５０が変位することにより、撮影距離（被写体距離）が変化する。
【００２１】
バリエータレンズ５２Ａ及びコンペンセータレンズ５２Ｂは、ズームレンズ５２を構成するレンズで、これらの支持枠に突設されたカムピン５２Ｃ、５２Ｄがカム筒６０のカム溝６０Ａ、６０Ｂに係合される。ズームモータ６２によってカム筒６０が回動すると、バリエータレンズ５２Ａ及びコンペンセータレンズ５２Ｂがカム溝６０Ａ、６０Ｂで規制される位置関係により光軸に沿って前後動するようになっている。このようにズームレンズ５２が変位することにより、ズーム倍率（焦点距離）が変化する。
【００２２】
上記制御回路７４は、リードネジ５６に設置されたフォーカスポテンショメータ６４によってフォーカスレンズ５０の位置（フォーカス位置）を検出すると共にカム筒６０に設置されたズームポテンショメータ６６によってズームレンズ５２の位置（ズーム位置）を検出しながら、フォーカスモータ５８とズームモータ６２を駆動し、フォーカスレンズ５０及びズームレンズ５２の位置や速度を制御する。
【００２３】
例えば、切替回路７２によって制御回路７４にコントローラ７０が接続されている場合、制御回路７４は、ズームデマンド２６から与えられたズーム速度指令信号の示す目標速度が得られるように目標位置を決め、その目標位置とズームポテンショメータ６６によって検出したズーム位置との差分が０となるように、ズームモータ６２を駆動してズームレンズ５２を移動させる。これにより、ズームレンズ５２がズームデマンド２６の操作に従ってモータ駆動される。また、制御回路７４は、フォーカスデマンド２８から入力されたフォーカス位置指令信号の示す目標位置と、フォーカスポテンショメータ６４によって検出したフォーカス位置との差分が０となるように、フォーカスモータ５８を駆動してフォーカスレンズ５０を移動させる。これにより、フォーカスレンズ５０がフォーカスデマンド２８の操作に従ってモータ駆動される。
【００２４】
一方、切替回路７２によって制御回路７４に一軸二操作式ユニット３６が接続されている場合、制御回路７４は、構成の詳細を後述する一軸二操作式ユニット３６により操作棒１６の押し引き操作に基づいて与えられたズーム位置指令信号の示す目標位置と、ズームポテンショメータ６６によって検出したズーム位置との差分が０となるように、ズームモータ６２を駆動してズームレンズ５２を移動させる。これにより、ズームレンズ５２が操作棒１６の押し引き操作に従ってモータ駆動される。また、制御回路７４は、一軸二操作式ユニット３６により操作棒１６の回動操作に基づいて与えられたフォーカス位置指令信号の示す目標位置と、フォーカスポテンショメータ６４によって検出したフォーカス位置との差分が０となるように、フォーカスモータ５８を駆動してフォーカスレンズ５０を移動させる。これにより、フォーカスレンズ５０が操作棒１６の回動操作に従ってモータ駆動される。
【００２５】
尚、ズームレンズ５２やフォーカスレンズ５０の位置や速度を制御するための手段や方法は、上述した手段や方法に限らない。
【００２６】
次に、一軸二操作式ユニット３６の構成について説明すると、操作棒１６は、回動自在に軸支された中空軸８０の内部に摺動自在に挿入される。中空軸８０には、長手方向のキー溝孔８０Ａが形成されており、操作棒１６の先端に固着されたピン８２がキー溝孔８０Ａに係合される。従って、操作棒１６が回動操作されると、これに連動して中空軸８０が回動する。
【００２７】
また、中空軸８０には移動枠８４が嵌装され、ピン８２の先端は、その移動枠８４の内周に形成された周方向の溝８４Ａに係合される。移動枠８４の凸部８４Ｂには、プーリ８６Ａとプーリ８６Ｂに巻きかけられたワイヤ８８の一部が固着される。従って、操作棒１６が押し引き操作されると、これと連動してプーリ８６Ａ、８６Ｂが回動する。
【００２８】
上記中空軸８０とプーリ８６Ｂには、それぞれの回転位置を検出するフォーカス用ポテンショメータ９０と、ズーム用ポテンショメータ９２が設置されており、これらのポテンショメータ９０、９２は、コネクタ３８、４０を介して切替回路７２に接続される。従って、制御回路７４には、操作棒１６の押し引き操作の操作位置に対応した電圧値のズーム位置指令信号がズーム用ポテンショメータ９２から与えられると共に、操作棒１６の回動操作の操作位置に対応した電圧値のフォーカス位置指令信号が与えられるようになっている。
【００２９】
続いて、切替回路７２によって制御回路７４に一軸二操作式ユニット３６が接続されている場合のズームリミット機能について説明する。レンズ装置１２のカバーの所定位置には、ズームリミット機能のオン／オフを切り替えるズームリミットオン／オフスイッチＳ１、ズーム範囲のワイド側のリミット位置を指定するワイド側リミット位置指定スイッチＳ２、ズーム範囲のテレ側のリミット位置を指定するテレ側リミット位置指定スイッチＳ３、リミット位置を設定、変更するモードをオン／オフするリミット設定モードスイッチＳ４が設けられており、それらのスイッチＳ１〜Ｓ４のオン／オフ状態は図４に示されているように制御回路７４によって読み取られるようになっている。尚、これらのスイッチＳ１〜Ｓ４は操作棒１６等の他の位置に配置するようにしてもよい。
【００３０】
制御回路７４は、ズームリミットオン／オフスイッチＳ１がオフに設定されている場合には、ズームリミット機能を無効にする。即ち、操作棒１６の押し引き操作の全操作範囲に対して変更可能なズームレンズ５２の移動範囲（ズーム範囲）を全範囲に設定し、本レンズ装置１２が本来の性能として有する最小ズーム倍率から最大ズーム倍率までの全ズーム範囲においてズーム位置の変更を可能にする。図５には、操作棒１６の押し引き操作の操作位置を検出する上記ズーム用ポテンショメータ９２の出力値（ズーム位置指令信号の電圧値）の範囲（同図（Ａ））と、ズームレンズ５２の位置を検出する上記ズームポテンショメータ６６の出力値（現在のズーム位置を示す電圧値）の範囲（同図（Ｂ））が示されている。尚、ズーム用ポテンショメータ９２の出力値、即ち、ズーム位置指令信号の電圧値を、以下、操作棒１６の操作位置を示す値、又は、操作位置の値といい、ズームポテンショメータ６６の出力値、即ち、現在のズーム位置を示す電圧値を、以下、ズーム位置を示す値、又は、ズーム位置の値という。
【００３１】
同図（Ａ）に示すように操作棒１６をワイド側のメカ端で規制される位置まで引き出したときの操作棒１６の操作位置を示す値をＸＷ（例えば−２Ｖ）とし、操作棒１６をテレ側のメカ端で規制される位置まで押し込んだときの操作棒１６の操作位置を示す値をＸＴ（例えば２Ｖ）とする。一方、同図（Ｂ）に示すようにズームレンズ５２がレンズ装置１２の本来の性能として最小のズーム倍率、即ち、１倍となるときの位置（ズームリミット機能が無効の状態でズームレンズ５２がそれ以上ワイド側に移動しない位置であり、以下、ワイド端位置という）まで移動したときのズーム位置を示す値をＺＷ（例えば−２Ｖ）とし、ズームレンズ５２がレンズ装置１２の本来の性能として最大のズーム倍率となるときの位置（ズームリミット機能が無効の状態でズームレンズ５２がそれ以上テレ側に移動しない位置であり、以下、テレ端位置という）まで移動したときのズーム位置を示す値をＺＴ（例えば２Ｖ）とする。
【００３２】
ズームリミットオン／オフスイッチＳ１がオフに設定されている場合において、制御回路７４には、一軸二操作式ユニット３６からズーム位置指令信号として操作棒１６の操作位置を示す値Ｘ（ＸＷ〜ＸＴ）が与えられる。そのとき、制御回路７４は、ズームの目標位置を示す値Ｚ０を、例えば、次式、
Ｚ０＝（ＺＴ−ＺＷ）・（Ｘ−ＸＷ）／（ＸＴ−ＸＷ）＋ＺＷ  …（１）
により求める。そして、ズームポテンショメータ６６から得られるズーム位置を示す値Ｚが目標位置Ｚ０と等しくなるようにズームモータ６２を駆動してズームレンズ５２を移動させる。
【００３３】
従って、操作棒１６がワイド側のメカ端で規制される位置まで引き出されてその操作位置を示す値ＸＷ（Ｘ＝ＸＷ）が一軸二操作式ユニット３６から制御回路７４に与えられると、ズームの目標位置を示す値Ｚ０がＺＷとなり、ズームレンズ５２が最小のズーム倍率となるワイド端位置に移動する。
【００３４】
これに対して、操作棒１６がテレ側のメカ端で規制される位置まで押し込まれてその操作位置を示す値ＸＴ（Ｘ＝ＸＴ）が一軸二操作式ユニット３６から制御回路７４に与えられると、ズームの目標位置を示す値Ｚ０がＺＴとなり、ズームレンズ５２が最大のズーム倍率となるテレ端位置に移動する。
【００３５】
即ち、図５に示すように操作棒１６のワイド側のメカ端からテレ側のメカ端までの全操作範囲に対してズーム位置がワイド端位置（最小のズーム倍率）からテレ端位置までの全ズーム範囲で変化する。
【００３６】
尚、上式（１）では説明を簡単にするために操作棒１６の操作位置に対して線形的にズーム位置を変化させる場合を示したが、曲線的に変化させるようにしてもよく、上式（１）で表されるズーム制御の場合に限らない。
【００３７】
一方、ズームリミットオン／オフスイッチＳ１がオンに設定されている場合には、ズームリミット機能が有効になる。即ち、操作棒１６の押し引き操作の全操作範囲に対して変更可能なズーム範囲が全ズーム範囲内のうちの指定されたズーム範囲内に制限される。図６は、ズームリミットオン／オフスイッチＳ１がオンの場合にワイド側とテレ側の一部のズーム範囲を使用しないように制限したときの操作棒１６の操作位置とズーム位置との対応関係を示した図である。例えば、同図（Ｂ）に示すように全ズーム範囲のうち、ワイド側のリミット位置ａとテレ側のリミット位置ｂを後述する方法により指定すると、リミット位置ａよりもワイド側のズーム範囲にズームレンズ５２が移動しないようになり、リミット位置ｂよりもテレ側のズーム範囲にズームレンズ５２が移動しないようになっている。ここで、ズーム範囲を制限するために指定されたワイド側のリミット位置ａをワイド側リミット位置といい、テレ側のリミット位置ｂをテレ側リミット位置というものとする。
【００３８】
ワイド側リミット位置ａの値をＺａ、テレ側リミット位置ｂの値をＺｂとすると、制御回路７４は、操作棒１６の操作位置を示す値Ｘに対して、ズームの目標位置を示す値Ｚ０を、例えば、上式（１）のＺＷをＺａに代え、ＺＴをＺｂに代えた次式、
Ｚ０＝（Ｚｂ−Ｚａ）・（Ｘ−ＸＷ）／（ＸＴ−ＸＷ）＋Ｚａ  …（２）
により求める。そして、ズームポテンショメータ６６から得られるズーム位置を示す値Ｚが目標位置Ｚ０と等しくなるようにズームモータ６２を駆動してズームレンズ５２を移動させる。
【００３９】
従って、操作棒１６がワイド側のメカ端で規制される位置まで引き出され、その操作位置を示す値ＸＷ（Ｘ＝ＸＷ）が与えられると、ズームの目標位置を示す値Ｚ０はワイド側リミット位置ａの値Ｚａとなり、ズームレンズ５２はワイド側リミット位置ａに設定される。一方、操作棒１６がテレ側のメカ端で規制される位置まで押し込まれてその操作位置を示す値ＸＴ（Ｘ＝ＸＴ）が与えられると、ズームの目標位置を示す値Ｚ０はテレ側リミット位置ｂの値Ｚｂとなり、ズームレンズ５２はテレ側リミット位置ｂに設定される。
【００４０】
即ち、図６に示すように操作棒１６のワイド側のメカ端からテレ側のメカ端までの全操作範囲に対してズーム位置がワイド端位置からテレ端位置までの全ズーム範囲よりも狭いワイド側リミット位置からテレ側リミット位置までのズーム範囲で変化する。尚、ワイド側リミット位置やテレ側リミット位置はワイド端位置やテレ端位置に一致させておくことも可能であり、全ズーム範囲のうち、ワイド側又はテレ側の一方だけのズーム範囲を制限することもできる。
【００４１】
続いて、ワイド側リミット位置及びテレ側リミット位置の設定について説明すると、制御回路７４は、リミット設定モードスイッチＳ４がオンされると、ワイド側リミット位置又はテレ側リミット位置を設定、変更するリミット設定モードの処理に移行する。尚、リミット設定モードへの移行は、ズームリミットオン／オフスイッチＳ１がオンかオフかにかかわらず可能である。制御回路７４は、リミット設定モードの場合（リミット設定モードスイッチＳ４がオンの場合）においても、リミット設定モードスイッチＳ４がオフの場合と同様により操作棒１６の操作位置に基づいてズームレンズ５２を制御する。ただし、ズームリミットオン／オフスイッチＳ１がオンされ、ズーム範囲が全ズーム範囲の一部に制限されている場合には、ズーム範囲の制限を一旦解除し、操作棒１６の押し引き操作に対して全ズーム範囲でズーム位置を変化させる。即ち、上式（１）に基づいてズーム制御を行う。そして、リミット設定モードにおいてワイド側リミット位置指定スイッチＳ２がオンされた場合にはそのときのズーム位置の値を上記ワイド側リミット位置の値Ｚａとして設定（記憶）する。テレ側リミット位置指定スイッチＳ３がオンされた場合にはそのときのズーム位置の値を上記テレ側リミット位置の値Ｚｂとして設定（記憶）する。
【００４２】
従って、操作者は、リミット設定モードにおいて操作棒１６を押し引き操作して所望のズーム位置にズームを設定し、ワイド側リミット位置指定スイッチＳ２又テレ側リミット位置指定スイッチＳ３をオンすることによってそのズーム位置をワイド側リミット位置又はテレ側リミット位置として設定することができる。ワイド側リミット位置とテレ側リミット位置の両方について上記操作を行うことでワイド側リミット位置とテレ側リミット位置の両方の設定を行うことができ、もし、一方のリミット位置（ワイド側リミット位置又はテレ側リミット位置）についての設定だけを行った場合には他方のリミット位置は本来のズーム端位置（ワイド端位置又はテレ端位置）に設定される。
【００４３】
リミット設定モードが解除され、かつ、ズームリミットオン／オフスイッチＳ１がオンに設定されると、制御回路７４は上述のように設定したワイド側リミット位置の値Ｚａ及びテレ側リミット位置の値Ｚｂに基づいて操作棒１６の全操作範囲に対する変更可能なズーム範囲をワイド側リミット位置からテレ側リミット位置の間に制限する。
【００４４】
尚、ワイド側リミット位置やテレ側リミット位置の候補を事前に記憶しておき、それらの候補の中から所望のリミット位置を選択できるようにしてもよい。
【００４５】
次に、ズームリミットオン／オフスイッチＳ１がオンからオフに切り替わり、ズームリミット機能のオフが指示されたときの処理について説明する。前提として、まず、ズームリミットオン／オフスイッチＳ１がオンされており、図６で例示した状態と同様の状態にあるものとする。即ち、図７（Ａ）に示すように操作棒１６の全操作範囲に対して同図（Ｂ）に示すようにズーム範囲がワイド側リミット位置ａ（値Ｚａ）からテレ側リミット位置ｂ（Ｚｂ）までの間に制限されているものとする。また、操作棒１６の現在の操作位置が同図（Ａ）の値Ｘの位置に設定され、現在のズーム位置が操作棒１６の操作位置に対応した同図（Ｂ）の値Ｚの位置に設定されているものとする。
【００４６】
今、ズームリミットオン／オフスイッチＳ１がオフに切り替えられズーム範囲の制限の解除が指示されたとすると、制御回路７４は、操作棒１６がワイド側のメカ端又はテレ側のメカ端のいずれかに当接するまではワイド側リミット位置ａからテレ側リミット位置ｂまでの間にズーム範囲を制限した上式（２）に基づくズーム制御を継続して実行する。一方、操作者が例えば、操作棒１６をワイド側に引き出し、操作棒１６がワイド側のメカ端の位置に当接したとすると、制御回路７４は、操作棒１６がメカ端に当接したワイド側と反対のテレ側リミット位置ｂによるズーム範囲の制限を解除する。即ち、操作棒１６がワイド側のメカ端に当接すると、制御回路１６は、上式（２）においてテレ側リミット位置ｂの値Ｚｂをテレ端位置の値ＺＴに変更した次式、
Ｚ０＝（ＺＴ−Ｚａ）・（Ｘ−ＸＷ）／（ＸＴ−ＸＷ）＋Ｚａ  …（３）
によりズーム制御を開始する。これによって、同図（Ｃ）に示すようにテレ側リミット位置ｂによる制限が解除され、変更可能なズーム範囲がワイド側リミット位置ａからテレ端位置までの間の範囲に拡大する（テレ側リミット位置ｂがテレ端位置に変更される）。
【００４７】
一方、操作者が、操作棒１６をテレ側に押し込み、操作棒１６がテレ側のメカ端の位置に当接したとすると、制御回路７４は、操作棒１６がメカ端に当接したテレ側と反対のワイド側リミット位置ａによるズーム範囲の制限を解除する。即ち、操作棒１６がテレ側のメカ端に当接すると、制御回路１６は、上式（２）においてワイド側リミット位置の値Ｚａをワイド端位置の値ＺＷに変更した次式、
Ｚ０＝（Ｚｂ−ＺＷ）・（Ｘ−ＸＷ）／（ＸＴ−ＸＷ）＋ＺＷ  …（４）
によりズーム制御を開始する。これによって、同図（Ｄ）に示すようにワイド側リミット位置ａによる制限が解除され、変更可能なズーム範囲がワイド端位置からテレ側リミット位置までの間の範囲に拡大する（ワイド側リミット位置ａがワイド端位置に変更される）。
【００４８】
このように操作棒１６をワイド側とテレ側のメカ端に当接させる操作を所望の順序で行うことによって、全ズーム範囲を変更可能なズーム範囲とする場合の上式（１）に基づいてズーム制御が行われるようになり、ズーム範囲の制限が解除される。これによれば、ズームリミットオン／オフスイッチＳ１をオンからオフに切り替えた際に、操作棒１６の操作なくズーム位置が変化することがなく、自然な状態でズーム範囲の制限を解除することができる。
【００４９】
尚、上記実施の形態では、ズームリミットオン／オフスイッチＳ１がオンからオフに切り替えられた後、操作棒１６がメカ端に当接した場合にその端とは逆端側のズーム範囲の制限を解除するという方法（以下、第１の方法という）を採用したがこれに限らず、他の方法によってズーム範囲の制限（ズームリミット）を解除するようにしてもよい。例えば、ズームリミットオン／オフスイッチＳ１がオンからオフに切り替わると、操作棒１６の全操作範囲に対して全ズーム範囲を変更可能なズーム範囲とする上式（１）に基づくズーム制御に即座に切り替える方法（以下、第２の方法という）を採用してもよい。
【００５０】
また、図８に示すようにズームリミットオン／オフスイッチＳ１がオンからオフに切り替えられたときの操作棒１６の操作位置とズーム位置とをＰ点で表すとすると、操作棒１６がワイド側のメカ端に当接するまでの操作に対して直線ＬＷで示すようにズーム位置をワイド端位置までＰ点から変化させるようにし、操作棒１６がテレ側のメカ端に当接するまでの操作に対して直線ＬＴで示すようにズーム位置をテレ端位置までＰ点から変化させるようにし、操作位置がワイド端位置又はテレ端位置に到達したら上式（１）に基づいてズーム制御を行うようにしてもよい。尚、同図には、ズームリミット機能がオフとオンの場合における操作位置とズーム位置との関係が鎖線で示されている。また、このようにズームリミットを解除する場合において、操作棒１６の現在の操作位置からワイド側又はテレ側のメカ端までの操作量に対してズーム位置の変化量が所定量より大きくなる場合には、わずかな操作によってズーム位置が大きく変化するのを防止するため、その方向への操作に対してズームリミット機能が有効のときのズーム制御を継続して行うようにしてもよい。
【００５１】
また、上記実施の形態ではズームリミットオン／オフスイッチＳ１がオンからオフに切り替えられた際にズームリミットを解除するときの処理について説明したが、これに限らず、例えば、ズームリミットオン／オフスイッチＳ１によりズームリミットを解除する際には上記第２の方法のように特別な処理を行うことなくズームリミットを即座に解除するようにし、ズームリミットオン／オフスイッチＳ１とは異なる所定の解除指示スイッチがオンされた場合に上記第１の方法や第３の方法等によりズームリミットを解除するようにしてもよい。また、ズームリミットを解除する複数の方法のうちから所望の方法を選択できるようにしてもよい。
【００５２】
また、上記実施の形態では、一軸二操作棒１６の押し引き操作の操作範囲とズームレンズ５２の移動範囲との関係について説明したが、一軸二操作棒１６の回動操作の操作範囲とフォーカスレンズ５０の移動範囲との関係についても同様に本発明を適用することができる。
【図面の簡単な説明】
【００５３】
【図１】図１は、一軸二操作式の操作方式を使用した場合のテレビカメラシステム全体の構成を示した斜視図である。
【図２】図２は、コントローラの操作方式を使用した場合のテレビカメラシステム全体の構成を示した斜視図である。
【図３】図３は、一軸二操作式ユニットの配置を示したレンズ装置の平面断面図である。
【図４】図４は、主にレンズ装置により構築されるレンズ制御システムの構成図である。
【図５】図５は、ズームリミット機能が無効のときの操作棒の操作位置とズーム位置との対応関係を示した図である。
【図６】図６は、ズームリミット機能が有効のときの操作棒の操作位置とズーム位置との対応関係を示した図である。
【図７】図７は、ズームリミット機能のオフが指示されたときの処理の説明に使用した図である。
【図８】図８は、ズームリミット機能をオフにする際の処理の説明に使用した図である。
【符号の説明】
【００５４】
１０…テレビカメラ、１２…レンズ装置、１４…カメラ本体、１６…一軸二操作棒、１８…指掛部、２６…ズームデマンド、２８…フォーカスデマンド、３４…レンズ鏡胴、３６…一軸二操作式ユニット、５０…フォーカスレンズ、５２…ズームレンズ、５８…フォーカスモータ、６２…ズームモータ、６４…フォーカスポテンショメータ、６６…ズームポテンショメータ、７０…コントローラ、７２…切替回路、７４…制御回路、９０…フォーカス用ポテンショメータ、９２…ズーム用ポテンショメータ、Ｓ１…ズームリミットオン／オフスイッチ、Ｓ２…ワイド端設定スイッチ、Ｓ３…テレ側リミット位置指定スイッチ、Ｓ４…リミット設定モードスイッチ
【図１】
2005106850.tif 000003
【図２】
2005106850.tif 000004
【図３】
2005106850.tif 000005
【図４】
2005106850.tif 000006
【図５】
2005106850.tif 000007
【図６】
2005106850.tif 000008
【図７】
2005106850.tif 000009
【図８】
2005106850.tif 000010